(57)【特許請求の範囲】
【請求項１】
手に装着されるべきホットマッサージサポーターであって、
第１、第２、および第３の頂点部を有する平面略三角形状の第１基材と、
第４、第５、および第６の頂点部を有する平面略三角形状の第２基材と、
前記第２の頂点部と前記第６の頂点部とを連結し、前記第３の頂点部と前記第５の頂点部とを連結する連結手段と、
前記第１の頂点部近傍または前記第４の頂点部近傍の一方に取り付けられ手首に巻き付け可能なバンド部材と、
前記第１の頂点部が手根部近傍に、前記第２の頂点部が小指の第３関節近傍に、前記第３の頂点部が人差し指の第３関節近傍にそれぞれ当接された状態で前記第１基材が掌内に配置され、かつ、前記第４の頂点部が手根部近傍に、前記第５の頂点部が人差し指の第３関節近傍に、前記第６の頂点部が小指の第３関節近傍にそれぞれ当接された状態で前記第２基材が手の甲に配置されるように、前記第１の頂点部近傍または前記第４の頂点部近傍の他方を前記バンド部材に着脱可能に固定するための固定手段と
を備え、
前記固定手段の一部は、少なくとも前記第１の頂点部近傍または前記第４の頂点部近傍に設けられ、
前記第１基材と前記第２基材とに、カイロを保持するためのカイロ保持手段が設けられていることを特徴とする、ホットマッサージサポーター。
【請求項２】
前記連結手段は、小指を通すための穴部を有し前記第２の頂点部と前記第６の頂点部とを連結する第１の連結部材と、人指し指を通すための穴部を有し前記第３の頂点部と前記第５の頂点部とを連結する第２の連結部材とからなることを特徴とする、請求項１に記載のホットマッサージサポーター。
【請求項３】
前記固定手段は、前記第１の頂点部近傍または前記第４の頂点部近傍の他方に設けられた面ファスナーであることを特徴とする、請求項１または２に記載のホットマッサージサポーター。
【請求項４】
前記バンド部材に面ファスナーが取り付けられていることを特徴とする、請求項１から３までのいずれか１項に記載のホットマッサージサポーター。
【請求項５】
前記カイロ保持手段は、カイロが着脱可能となるように、ポケット状に形成されていることを特徴とする、請求項１から４までのいずれか１項に記載のホットマッサージサポーター。
【請求項６】
前記カイロ保持手段は、メッシュ状部材で形成されていることを特徴とする、請求項１から５までのいずれか１項に記載のホットマッサージサポーター。
【請求項７】
前記連結手段は、前記第２の頂点部から前記第３の頂点部に向かう方向とは垂直方向に伸縮可能な弾性部材であることを特徴とする、請求項１から６までのいずれか１項に記載のホットマッサージサポーター。
【請求項８】
前記弾性部材は、ゴム紐であることを特徴とする、請求項７に記載のホットマッサージサポーター。
【発明の詳細な説明】
【技術分野】
【０００１】
本発明は、マッサージを行う者（以下、「施術者」という。）がマッサージを受ける者（以下、「被施術者」という。）に温熱を与えながらマッサージを施すことができるようカイロを保持可能にした、主に業務用に使用されるマッサージ用のサポーター（ホットマッサージサポーター）に関する。
【背景技術】
【０００２】
マッサージは、一般に、被施術者の患部（肩、背中、足など）の凝りや張りをほぐすために行われる。患部の凝りや張りは血行を良くすることによってほぐされるところ、人の身体を温めると（その人の）血行が良くなることは一般に知られている。また、血行が良くなることで、人は自身の身体の心地良さを感じる。以上のような観点から、マッサージ中に患部に温熱が与えられた方がマッサージの効果は高まると言える。また、施術者の手の指が温かいほど、被施術者の血行は良好な状態となり、被施術者は心地良くマッサージを受けることができる。例えば、我が国にはいわゆる「プロ」と呼ばれるマッサージ師（業としてマッサージを行っている専門家）が多数存在するところ、顧客（被施術者）から高い評価を得ているマッサージ師の手は概して温かいようである。
【０００３】
ところで、マッサージは本来的に素手で行われるものである。特にプロのマッサージ師は、被施術者の筋肉の状態等を把握しなければならないこと、微妙な力加減を要するために柔軟な指の動きが必要となること等の理由により、従来より素手でマッサージを行っている。例えば、被施術者の筋肉をほぐしたりツボを押したりすることは、（施術者の）指先を使って行われる。このため、マッサージ中には、被施術者の患部に直接あるいは薄い下着等を介して施術者の手の指が触れることになる。従って、気温の低い時期など施術者の手の指が冷たければ、マッサージの効果は低下する。逆に、上述したように、施術者の手の指が温かいほど、患部に温熱が与えられることにより、マッサージの効果は高まる。そこで、特開２００４−２４３０７９号公報には、指先部分を取り除いた左右一対の手袋状用具の掌（手のひら）側にカイロを取りつけたマッサージ用具についての発明が開示されている。このマッサージ用具によると、マッサージされる部分に温熱が与えられ、マッサージの効果が高まるとされている。
【０００４】
また、カイロで手を温めるという観点では、以下のような技術が知られている。特開２００３−９３４３０号公報には、手の甲側に使い捨てカイロを貼ることができるベースを設けた「手の甲使い捨てカイロベース」についての発明が開示されている。特開２００１−７３２１０号公報や特開平１０−３１７２１５号公報には、掌側と手の甲側の双方にカイロを収納可能とした手袋についての発明が開示されている。
【特許文献１】特開２００４−２４３０７９号公報
【特許文献２】特開２００３−９３４３０号公報
【特許文献３】特開２００１−７３２１０号公報
【特許文献４】特開平１０−３１７２１５号公報
【発明の開示】
【発明が解決しようとする課題】
【０００５】
ところが、特開２００４−２４３０７９号公報に開示されたマッサージ用具によると、施術者の指先部分以外は手袋状用具に覆われている。マッサージは一般に素手で行われるので、上述のようなマッサージ用具を装着した場合には、施術者は、柔軟な指の動きが阻害され、従来（マッサージ用具を装着していないとき）と同様の感覚で被施術者にマッサージを施すことができない。このため、被施術者に温熱は与えられるが、マッサージの効果はあまり高められない。また、特開２００３−９３４３０号公報，特開２００１−７３２１０号公報，および特開平１０−３１７２１５号公報に開示された手袋等は、いずれも当該手袋等の装着者自身の手を温めることを目的とするものである。
【０００６】
これに対し、本発明は、特開２００３−９３４３０号公報，特開２００１−７３２１０号公報，および特開平１０−３１７２１５号公報に開示された手袋等とは異なり、主に業務用に使用されるマッサージ用のサポーター（ホットマッサージサポーター）であって、マッサージを受ける者の患部を温めることを目的とするものである。また、本発明は、「指先から指の付け根（第３間接部分）に至るまでの部分や母指球・小指球近傍が何かに覆われている」ということがないため指の動きが阻害されることなく本来の素手で行われるマッサージと同様のマッサージを行うことができるという点、および掌側と手の甲側の双方に配置されたカイロからの温熱によって被施術者の患部を効果的に温めることができるという点で特開２００４−２４３０７９号公報に開示されたマッサージ用具とは異なっている。
【０００７】
このように、本発明は、マッサージの際に被施術者に温熱を与えることができ、かつ、施術者が従来と同様の感覚で（指の動きが阻害されることなく）被施術者にマッサージを施すことができる（主に業務用に使用される）マッサージ用のサポーター（ホットマッサージサポーター）を提供することを目的とする。
【課題を解決するための手段】
【０００８】
第１の発明は、手に装着されるべきホットマッサージサポーターであって、
第１、第２、および第３の頂点部を有する平面略三角形状の第１基材と、
第４、第５、および第６の頂点部を有する平面略三角形状の第２基材と、
前記第２の頂点部と前記第６の頂点部とを連結し、前記第３の頂点部と前記第５の頂点部とを連結する連結手段と、
前記第１の頂点部近傍または前記第４の頂点部近傍の一方に取り付けられ手首に巻き付け可能なバンド部材と、
前記第１の頂点部が手根部近傍に、前記第２の頂点部が小指の第３関節近傍に、前記第３の頂点部が人差し指の第３関節近傍にそれぞれ当接された状態で前記第１基材が掌内に配置され、かつ、前記第４の頂点部が手根部近傍に、前記第５の頂点部が人差し指の第３関節近傍に、前記第６の頂点部が小指の第３関節近傍にそれぞれ当接された状態で前記第２基材が手の甲に配置されるように、前記第１の頂点部近傍または前記第４の頂点部近傍の他方を前記バンド部材に着脱可能に固定するための固定手段と
を備え、
前記固定手段の一部は、少なくとも前記第１の頂点部近傍または前記第４の頂点部近傍に設けられ、
前記第１基材と前記第２基材とに、カイロを保持するためのカイロ保持手段が設けられていることを特徴とする。
【０００９】
第２の発明は、第１の発明において、
前記連結手段は、小指を通すための穴部を有し前記第２の頂点部と前記第６の頂点部とを連結する第１の連結部材と、人指し指を通すための穴部を有し前記第３の頂点部と前記第５の頂点部とを連結する第２の連結部材とからなることを特徴とする。
【００１０】
第３の発明は、第１または第２の発明において、
前記固定手段は、前記第１の頂点部近傍または前記第４の頂点部近傍の他方に設けられた面ファスナーであることを特徴とする。
【００１１】
第４の発明は、第１から第３までのいずれかの発明において、
前記バンド部材に面ファスナーが取り付けられていることを特徴とする。
【００１２】
第５の発明は、第１から第４までのいずれかの発明において、
前記カイロ保持手段は、カイロが着脱可能となるように、ポケット状に形成されていることを特徴とする。
【００１３】
第６の発明は、第１から第５までのいずれかの発明において、
前記カイロ保持手段は、メッシュ状部材で形成されていることを特徴とする。
【００１４】
第７の発明は、第１から第６までのいずれかの発明において、
前記連結手段は、前記第２の頂点部から前記第３の頂点部に向かう方向とは垂直方向に伸縮可能な弾性部材であることを特徴とする。
【００１５】
第８の発明は、第７の発明において、
前記弾性部材は、ゴム紐であることを特徴とする。
【発明の効果】
【００１６】
上記第１の発明によれば、ホットマッサージサポーターには、装着状態において第１から第３の頂点部がそれぞれ手根部近傍の掌側，小指の第３関節近傍の掌側，および人差し指の第３関節近傍の掌側に当接されるように構成された平面略三角形状の第１基材が設けられ、当該第１基材には、カイロを保持するためのカイロ保持手段が設けられている。このように、掌内に適当に収まるような第１基材にカイロ保持手段が設けられているので、各指についての指先から付け根（第３間接部分）に至るまでの部分や母指球・小指球近傍の部分が何かに覆われているということはない。このため、施術者は、指の動きに制限を受けることはなく、また、被施術者の患部を直接指で揉んだり押したりすることができる。これにより、施術者は、被施術者に継続的に温熱を与えつつ、本来のマッサージ（このホットマッサージサポーターを装着していない状態でのマッサージ）と同様の感覚で被施術者にマッサージを施すことが可能となる。
また、上記第１の発明によれば、施術者は、マッサージの際に、掌側と手の甲側との双方にカイロを保持することができる。このため、掌側のカイロの熱が被施術者に与えられるだけでなく、手の甲側のカイロの熱が施術者の手を伝って被施術者に与えられる。このような効果的な熱伝達によって、施術者の手から被施術者の患部に効果良く温熱を与えることが可能となる。これにより、施術者は、自身の手の両面から温熱を被施術者に与えつつ、本来のマッサージと同様の感覚で被施術者にマッサージを施すことが可能となる。
【００１７】
上記第２の発明によれば、親指を除く４本の指のうち外側にある小指と人差し指とによってホットマッサージサポーターの（手への）固定が図られる。このため、ホットマッサージサポーターが施術者の手に装着された状態において、高い安定性が確保される。
【００１８】
上記第３の発明によれば、第１の頂点部近傍または第４の頂点部近傍のうちバンド部材が取り付けられていない方に、固定手段としての面ファスナーが設けられている。このため、施術者は、当該面ファスナーとバンド部材とによって、片手でも比較的容易にホットマッサージサポーターを自らの手に固定することができる。
【００１９】
上記第４の発明によれば、バンド部材には面ファスナーが取り付けられている。このため、施術者は、片手でも比較的容易に当該バンド部材を手首に固定することができる。
【００２０】
上記第５の発明によれば、カイロ保持手段がポケット状に形成されているので、必要に応じてカイロを交換することが可能となる。このため、ホットマッサージサポーターを繰り返して使用することが可能となる。
【００２１】
上記第６の発明によれば、マッサージの際に、被施術者とカイロとの間にはメッシュ状部材のみが介在することになる。このため、カイロの温熱が効率良く患部に与えられ、マッサージの効果が高められる。
【００２２】
上記第７の発明によれば、連結手段が伸縮することにより第１基材と第２基材との距離が可変となっている。このため、施術者の手の大きさや形にかかわらず、ホットマッサージサポーターが当該施術者の手に容易にフィットする。
【００２３】
上記第８の発明によれば、上記第７の発明と同様、施術者の手の大きさや形にかかわらず、ホットマッサージサポーターが当該施術者の手に容易にフィットする。
【発明を実施するための最良の形態】
【００２４】
以下、添付図面を参照しつつ本発明の一実施形態について説明する。なお、実施形態中のホットマッサージサポーターは施術者の右手に装着されるものとして説明する。
【００２５】
＜１．概略構成＞
図１は、本発明の一実施形態に係るホットマッサージサポーターの概略平面図である。このホットマッサージサポーターは、第１〜第３の頂点部１１〜１３を有する平面略三角形状の第１基材１０と、第４〜第６の頂点部２４〜２６を有する平面略三角形状の第２基材２０と、第１基材１０と第２基材２０とを連結する連結手段３０と、（このホットマッサージサポーターの使用時に）手首に巻き付けられるバンド部材４０とからなる。第１基材１０および第２基材２０は、典型的には、綿，麻，羊毛，絹などの天然繊維からなる布状基材である。第１基材１０には、第１の頂点部１１から三角形状部分の中心とは反対方向に突出する舌片部１８が設けられている。第２基材２０についても、第１基材１０と同様に、第４の頂点部２４から突出する舌片部２８が設けられている。なお、以下においては、図２に示すように、各基材のうち舌片部２８を除く略三角形状の部分を「本体部」という。この本体部には、後述するように使い捨てカイロ等のカイロが保持される。
【００２６】
第１基材１０と第２基材２０とは、連結手段３０を実現する第１および第２の連結部材３１，３２によって連結されている。詳しくは、第１基材１０の第２の頂点部１２と第２基材２０の第６の頂点部２６とは、小指を通すための穴部３１０を有する第１の連結部材３１によって連結されている。また、第１基材１０の第３の頂点部１３と第２基材２０の第５の頂点部２５とは、人差し指を通すための穴部３２０を有する第２の連結部材３２によって連結されている。
【００２７】
バンド部材４０は、第１基材１０の舌片部１８に取り付けられている。詳しくは、図１に示すように、バンド部材４０の略中央部が第１基材１０の舌片部１８に取り付けられている。このバンド部材４０は、ホットマッサージサポーターが施術者の手に装着される際に当該施術者の手首に巻き付けられる。
【００２８】
以上のように構成されたホットマッサージサポーターが施術者の手に装着されると、第１基材１０は掌側に配置され、第２基材２０は手の甲側に配置される。また、装着の際には、第１の連結部材３１の穴部３１０に小指が通され、第２の連結部材３２の穴部３２０に人差し指が通される。また、バンド部材４０は手首に巻き付けられる。そして、第２基材２０の舌片部２８に設けられた後述の面ファスナー２２，２３（図３参照）が固定手段として機能し、当該面ファスナー２２，２３とバンド部材４０とによって、第１基材１０が掌に固定され、第２基材２０が手の甲に固定される。このとき、第１の頂点部１１は手根部近傍の掌側に当接され、第２の頂点部１２は小指の第３関節近傍の掌側に当接され、第３の頂点部１３は人差し指の第３関節近傍の掌側に当接される。また、第４の頂点部２４は手根部近傍の手の甲側に当接され、第５の頂点部２５は人差し指の第３関節近傍の手の甲側に当接され、第６の頂点部２６は小指の第３関節近傍の手の甲側に当接される。
【００２９】
＜２．詳細構成＞
次に、図３から図８を参照しつつ、本実施形態に係るホットマッサージサポーターの詳しい構成について説明する。なお、以下においては、ホットマッサージサポーターが施術者の手に装着された状態において掌や手の甲と接する面がある側を裏側といい、それとは異なる面がある側（外部から視認される面がある側）を表側という。また、第１基材１０および第２基材２０のことを単に「基材」ともいう。
【００３０】
＜２．１  カイロ保持手段＞
まず、カイロを保持するための構成について説明する。図３は、このホットマッサージサポーターを表側から見た平面図であり、図４は、このホットマッサージサポーターを裏側から見た平面図である。図３に示すように、第１基材１０および第２基材２０の本体部の表側には、それぞれメッシュ状部材１７，２７が設けられている。これらのメッシュ状部材１７，２７に関し、図５において符号７３，７４の点線で示す部分については基材に縫い付けられているが、それ以外の部分については基材には縫い付けられていない。このため、基材とメッシュ状部材とによってポケットが形成されており、各基材の本体部においてカイロ１９，２９が格納可能となるとともに、図３で符号７１，７２の矢印で示す部分からカイロ１９，２９の着脱（出し入れ）が可能となっている。なお、第１基材１０および第２基材２０の裏側については、図４に示すように、メッシュ状部材は設けられていない。また、カイロ保持手段としての耐久性を高めるためには、メッシュ状部材１７，２７をナイロン等のテグスによって形成すれば良い。
【００３１】
図６は、図３のＡ−Ａ線断面図である。図６に示すように、基材２０の表側にメッシュ状部材２７が設けられており、符号７２の矢印で示す部分から本体部へのカイロの出し入れが可能になっている。以上のように、本実施形態においては、基材にメッシュ状部材が設けられることによってカイロ保持手段が実現されている。また、そのカイロ保持手段は、ポケット状に形成されることによって、カイロの着脱が可能となるように構成されている。
【００３２】
＜２．２  バンド部材および固定手段＞
次に、ホットマッサージサポーターを施術者の手に固定するための構成について説明する。上述したように、第１基材１０の舌片部１８にはバンド部材４０が取り付けられている。このバンド部材４０は、施術者の手首の親指側の略半分に巻回されるための第１のバンド部材４１と施術者の手首の小指側の略半分に巻回されるための第２のバンド部材４２とによって構成されている。第２のバンド部材４２の表側には、図３に示すように、面ファスナー４３が取り付けられている。また、図４に示すように、第１のバンド部材４１の裏側にも、面ファスナー４４が取り付けられている。それらの面ファスナー４３，４４のうち一方はループで、他方はフックとなっている。すなわち、第２のバンド部材４２の表側に取り付けられた面ファスナー４３と第１のバンド部材４１の裏側に取り付けられた面ファスナー４４とが互いに係合可能に構成されている。
【００３３】
また、図３に示すように、第２基材２０の舌片部２８には、固定手段としての２つの面ファスナー２２，２３が設けられている。それらの面ファスナー２２，２３のうち一方はループで、他方はフックとなっている。すなわち、第４の頂点部２４近傍に設けられた面ファスナー２２と第２基材２０の端部に設けられた面ファスナー２３とが互いに係合可能に構成されている。これにより、第２基材２０の舌片部２８が図７に示すように折り返されることによって、両面ファスナー２２，２３が互いに係合される。
【００３４】
図８は、このホットマッサージサポーターを施術者の手に固定する手順について説明するための図である。まず、第１の連結部材３１の穴部３１０に小指が通され、第２の連結部材３２の穴部３２０に人差し指が通されることによって、第２基材２０が図８（ａ）に示すように手の甲に配置される。次に、手首の小指側略半分に第２のバンド部材４２が巻き付けられることによって、第２のバンド部材４２の先端部近傍が第２基材２０上の２つの面ファスナー２２，２３の間に配置される（図８（ｂ）参照）。次に、手首の親指側略半分に第１のバンド部材４１が巻き付けられることによって、第１のバンド部材４１の先端部近傍が第２基材２０上の２つの面ファスナー２２，２３の間に配置される（図８（ｃ）参照）。このとき、第２のバンド部材４２に取り付けられた面ファスナー４３と第１のバンド部材４１に取り付けられた面ファスナー４４とが互いに係合する。最後に、第２基材２０の舌片部２８が図７に示すように折り返されることにより、当該舌片部２８によってバンド部材４０が挟持される（図８（ｄ）参照）。このとき、舌片部２８に設けられている２つの面ファスナー２２，２３が互いに係合する。以上のようにして、第１基材１０は掌に固定され、第２基材２０は手の甲に固定される。
【００３５】
＜２．３  連結手段＞
次に、第１基材１０と第２基材２０とを連結するための構成について説明する。上述したように、本実施形態においては、連結手段３０は、第２の頂点部１２と第６の頂点部２６とを連結する第１の連結部材３１と、第３の頂点部１３と第５の頂点部２５とを連結する第２の連結部材３２とによって構成されている。ここで、第１および第２の連結部材３１，３２には穴部３１０，３２０が設けられているところ、それらの穴部３１０，３２０は、各連結部材３１，３２の中心よりも第１基材１０寄りの位置に設けられている。また、各連結部材３１，３２は、第２の頂点部１２から第３の頂点部１３に向かう方向とは垂直方向（図３で符号３９で示す方向）に伸縮可能な弾性部材（例えば、ゴム紐）によって実現されている。
【００３６】
＜３．効果＞
図９および図１０は、このホットマッサージサポーターが施術者の手に装着された状態を示す図である。なお、図９は掌側から見た図であり、図１０は手の甲側から見た図である。本実施形態によれば、マッサージの際にカイロ保持手段にカイロを格納しておくことにより、施術者はカイロによる温熱を継続的に被施術者に与えながらマッサージを施すことが可能となる。ここで、図９および図１０において施術者の手の指に着目すると、指先から指の付け根（第３間接部分）に至るまで、何かに覆われているということはない。このため、施術者は、被施術者の患部を直接指で揉んだり押したりすることができる。また、第１基材１０の形状は平面略三角形状であって、第１の頂点部１１は手根部近傍に当接され、第２の頂点部１２は小指の第３関節近傍に当接され、第３の頂点部１３は人差し指の第３関節近傍に当接されるように構成されている。このため、第１基材１０は掌内に適当に収まり、施術者の手の母指球・小指球近傍の部分が何かに覆われているということはない。従って、施術者は、マッサージを行う際に、指の動きに制限を受けることはない。以上より、施術者は、被施術者に継続的に温熱を与えつつ、本来のマッサージ（このホットマッサージサポーターを装着していない状態でのマッサージ）と同様の感覚で被施術者にマッサージを施すことが可能となる。その結果、従来よりも高いマッサージ効果が得られる。さらに、本実施形態によれば、掌側と手の甲側との双方にカイロを保持することができる。このため、施術者の掌側のカイロの熱が被施術者に与えられるだけでなく、施術者の手の甲側のカイロの熱が施術者の手を伝って被施術者に与えられる。これにより、施術者の手から被施術者の患部に、より温かい熱を継続的に与えることが可能となる。
【００３７】
以上のように、本実施形態に係るホットマッサージサポーターよれば、施術者の手の両面に配置されたカイロによって被施術者に効果的に温熱を与えることができ、かつ、指の動きが阻害されることなく本来の素手で行われるマッサージと同様のマッサージを被施術者に施すことが可能となる。
【００３８】
また、本実施形態におけるカイロ保持手段はメッシュ状部材１７，２７で形成されている。このため、被施術者とカイロとの間にはメッシュ状部材１７，２７のみが介在することになる。その結果、カイロの温熱が効率良く患部に与えられ、マッサージの効果が高められる。また、メッシュ状部材１７，２７をナイロン等のテグスで形成することにより、メッシュ部分が破れにくくなり、このホットマッサージサポーターの耐久性が高められる。また、本実施形態におけるカイロ保持手段はポケットになっている。このため、必要に応じてカイロを交換することができる。これにより、ホットマッサージサポーターを繰り返して使用することが可能となる。
【００３９】
さらに、第１基材１０と第２基材２０とを連結する第１および第２の連結部材３１，３２には、小指を通すための穴部３１０と人差し指を通すための穴部３２０とが設けられている。このため、親指を除く４本の指のうち外側にある小指と人差し指とによってホットマッサージサポーターの（手への）固定が図られるので、ホットマッサージサポーターが施術者の手に装着された状態において、高い安定性が確保される。これにより、マッサージ中にこのホットマッサージサポーターが施術者の手からずれることが抑制される。また、第１および第２の連結部材３１，３２は伸縮可能であるので、施術者の手の大きさや形にかかわらず、ホットマッサージサポーターが当該施術者の手に容易にフィットする。
【００４０】
さらにまた、本実施形態によれば、このホットマッサージサポーターを施術者の手に固定するために、第２基材２０の舌片部２８およびバンド部材４０に面ファスナーが取り付けられている。施術者はホットマッサージサポーターが装着される手（例えば、右手）とは異なる方の手（例えば、左手）のみで（すなわち片手で）装着作業を行わなければならないところ、固定するための構成が面ファスナーで実現されているので、片手でも比較的容易にホットマッサージサポーターを自らの手に固定することができる。
【００４１】
＜４．変形例＞
以下、上記実施形態の変形例について説明する。
【００４２】
＜４．１  バンド部材についての変形例＞
上記実施形態においては、バンド部材４０は、手首の親指側の略半分に巻回されるための第１のバンド部材４１と手首の小指側の略半分に巻回されるための第２のバンド部材４２とによって構成されていた。すなわち、バンド部材４０の略中央部が第１基材１０の舌片部１８に取り付けられていた。しかし、本発明はこれに限定されず、例えば図１１に示すように、バンド部材４５の一端が第１基材１０の舌片部１８に取り付けられた構成であっても良い。この場合、図１１で符号４６で示す部分については表側に、図１１で符号４７で示す部分については裏側に、一方がループで他方がフックとなるように面ファスナーを備える構成にすれば良い。
【００４３】
また、上記実施形態においては、掌側に固定される第１基材１０にバンド部材４０が設けられている例を挙げて説明したが、本発明はこれに限定されず、手の甲側に固定される第２基材２０にバンド部材４０が設けられていても良い。さらに、バンド部材４０は長手方向に伸縮可能なゴム紐等の弾性部材であっても良く、この場合には、バンド部材４０に面ファスナーを備える必要はない。
【００４４】
＜４．２  固定手段についての変形例＞
上記実施形態においては、第２基材２０の舌片部２８に設けられた面ファスナー２２，２３によって固定手段が実現されていたが、本発明はこれに限定されない。例えば、図１２に示すように、第２基材２０の舌片部２８に設けられたボタン５３とバンド部材５０の両端部に設けられたボタン穴５１，５２とによって固定手段が実現されても良い。また、スナップボタンによって固定手段が実現されても良い。この場合、例えば、図１３に示すように、第２基材の舌片部２８と第２のバンド部材６２の端部とにスナップボタンの雄部材６３，６４を設け、第１のバンド部材６１の端部の両面にスナップボタンの雌部材６５，６６を設ける構成にすれば良い。
【００４５】
＜４．３  カイロ保持手段についての変形例＞
上記実施形態においては、図１４で符号８１で示す位置にポケットの入口部が設けられていたが、本発明はこれに限定されない。例えば、図１４で符号８２，８３，８４で示す位置にポケットの入口部が設けられていても良い。また、上記実施形態においては、カイロ保持手段がメッシュ状部材で実現されている例を挙げて説明したが、本発明はこれに限定されない。例えば、薄手の布のようにカイロの温熱を施術者に与えることができるものであれば、本発明を適用することができる。さらに、カイロ保持手段が粘着手段になっていて、カイロが第１基材１０および第２基材２０に貼り付け可能に構成されていても良い。さらにまた、上記実施形態においては、第１基材１０と第２基材２０の双方にカイロ保持手段が設けられている例を挙げて説明したが、本発明はこれに限定されず、第１基材１０のみにカイロ保持手段が設けられていても良い。
【００４６】
＜４．４  連結手段についての変形例＞
上記実施形態においては、小指を通すための穴部３１０を有する第１の連結部材３１と人差し指を通すための穴部３２０を有する第２の連結部材３２とによって連結手段３０が構成されていたが、本発明はこれに限定されない。例えば、図１５で示すように、第２の頂点部１２と第６の頂点部２６とを連結する比較的幅狭の第１の連結部材３３と第３の頂点部１３と第５の頂点部２５とを連結する比較的幅狭の第２の連結部材３４とによって連結手段３０が構成され、装着時にそれらの連結部材３３，３４の間に小指，薬指，中指，および人差し指を通すようにしても良い。また、図１６に示すように、小指，薬指，中指，および人差し指を通すための穴部３５０〜３８０を有する第１〜第４の連結部材３５〜３８によって連結部材が構成されていても良い。さらに、上記実施形態においては、連結手段は伸縮可能な弾性部材によって実現されていたが、本発明はこれに限定されず、伸縮することのない部材で実現されていても良い。
【図面の簡単な説明】
【００４７】
【図１】本発明の一実施形態に係るホットマッサージサポーターの概略平面図である。
【図２】上記実施形態において、基材の本体部について説明するための図である。
【図３】上記実施形態に係るホットマッサージサポーターを表側から見た平面図である。
【図４】上記実施形態に係るホットマッサージサポーターを裏側から見た平面図である。
【図５】上記実施形態において、メッシュ状部材について説明するための図である。
【図６】上記実施形態において、図３のＡ−Ａ線断面図である。
【図７】上記実施形態において、固定手段について説明するための図である。
【図８】上記実施形態において、ホットマッサージサポーターを施術者の手に固定する手順について説明するための図である。
【図９】上記実施形態に係るホットマッサージサポーターが人の手に装着された状態を掌側から見た図である。
【図１０】上記実施形態に係るホットマッサージサポーターが人の手に装着された状態を手の甲側から見た図である。
【図１１】上記実施形態の変形例（バンド部材の一端が第１基材の舌片部に取り付けられる例）について説明するための図である。
【図１２】上記実施形態の変形例（固定手段がボタンで実現される例）について説明するための図である。
【図１３】上記実施形態の変形例（固定手段がスナップボタンで実現される例）について説明するための図である。
【図１４】上記実施形態の変形例（ポケットの入口部が上記実施形態とは異なる場所に設けられる例）について説明するための図である。
【図１５】上記実施形態の変形例（連結手段が比較的幅狭の第１および第２の連結部材で構成される例）説明するための図である。
【図１６】上記実施形態の変形例（連結手段が第１〜第４の連結部材で構成される例）について説明するための図である。
【符号の説明】
【００４８】
１０…第１基材
１１〜１３…第１〜第３の頂点部
１７，２７…メッシュ状部材
１８，２８…舌片部
１９，２９…カイロ
２０…第２基材
２２，２３，４３，４４…面ファスナー
２４〜２６…第４〜第６の頂点部
３１…第１の連結部材
３２…第２の連結部材
４０…バンド部材
３１０，３２０…穴部
【要約】
【課題】被施術者に効果的に温熱を与えることができ、かつ、施術者が従来と同様の感覚で被施術者にマッサージを施すことができるホットマッサージサポーターを提供する。
【解決手段】ホットマッサージサポーターは、第１〜第３の頂点部１１〜１３を有する平面略三角形状の第１基材１０と、第４〜第６の頂点部２４〜２６を有する平面略三角形状の第２基材２０と、第１基材１０と第２基材２０とを連結する連結手段３０と、使用時に手首に巻き付けられるバンド部材４０と、面ファスナー２２，２３とによって構成される。第１基材１０が掌に固定されると、第１の頂点部１１は手根部近傍の掌側に当接され、第２の頂点部１２は小指の第３関節近傍の掌側に当接され、第３の頂点部１３は人差し指の第３関節近傍の掌側に当接される。第１基材１０と第２基材２０とに、メッシュ状部材１７，２７によってポケット状に形成されたカイロ保持手段が設けられる。
【選択図】図３【図１】
0004204637.tif 000002
【図２】
0004204637.tif 000003
【図３】
0004204637.tif 000004
【図４】
0004204637.tif 000005
【図５】
0004204637.tif 000006
【図６】
0004204637.tif 000007
【図７】
0004204637.tif 000008
【図８】
0004204637.tif 000009
【図９】
0004204637.tif 000010
【図１０】
0004204637.tif 000011
【図１１】
0004204637.tif 000012
【図１２】
0004204637.tif 000013
【図１３】
0004204637.tif 000014
【図１４】
0004204637.tif 000015
【図１５】
0004204637.tif 000016
【図１６】
0004204637.tif 000017